(57)【要約】【課題】管理責任者側で被管理者の特定の携帯端末だけを指定し、その携帯端末の内部機能の使用を規制可能にした。【解決手段】監視側携帯端末毎に、監視側携帯端末が監視し、内部機能を規制可能にする被監視側携帯端末を記憶する端末記憶部４２と、携帯端末の現在位置を取得する現在位置取得部３２と、携帯端末の現在位置及び端末記憶部４２の記憶内容に基づき、監視側携帯端末の現在位置を含む特定隣接セル内に、監視側携帯端末が監視する被監視側携帯端末が存在するか否かを判定する規制対象判定部５１と、特定隣接セル内に被監視側携帯端末が存在する場合、特定隣接セル内の被監視側携帯端末に対して内部機能を規制する規制制御メッセージを通知する制御メッセージ通知部３４とを有している。【選択図】図３
2010016491.tif 000002
【特許請求の範囲】
【請求項１】
監視側携帯端末と、
該監視側携帯端末に監視される被監視側携帯端末と、
該監視側携帯端末及び該被監視側携帯端末を管理して制御する端末管理制御装置とを有する通信システムであって、
前記端末管理制御装置は、
該監視側携帯端末毎に、内部機能を規制可能な前記被監視側携帯端末を記憶する端末記憶部と、
現在位置取得部にて取得した前記監視側携帯端末と前記被監視側携帯端末の現在位置、及び前記端末記憶部の記憶内容に基づき、前記監視側携帯端末の現在位置の無線セルを含む特定隣接セル内に、該規制対象の被監視側携帯端末が存在するか否かを判定する規制対象判定部と、
前記規制対象判定部にて前記特定隣接セル内に、前記規制対象の被監視側携帯端末が存在すると判定されると、前記特定隣接セル内の前記規制対象の被監視側携帯端末に対して前記内部機能を規制する規制制御メッセージを通知する制御メッセージ通知部とを有し、
前記被監視側携帯端末は、
前記端末管理制御装置から前記規制制御メッセージを受信すると、この受信した規制制御メッセージに基づき、前記内部機能を規制することを特徴とする通信システム。
【請求項２】
前記規制対象判定部は、
前記監視側携帯端末からの規制開始要求を受信すると、前記規制開始要求に関わる前記監視側携帯端末の現在位置の無線セルを含む特定隣接セル内に、この監視側携帯端末が監視する前記規制対象の被監視側携帯端末が存在するか否かを判定することを特徴とする請求項１記載の通信システム。
【請求項３】
前記端末管理制御装置は更に、
前記監視側携帯端末からの規制解除要求を受信すると、前記端末記憶部の記憶内容に基づき、前記規制解除要求に関わる前記監視側携帯端末が監視する解除対象の被監視側携帯端末が存在するか否かを判定する解除対象判定部を有し、
前記制御メッセージ通知部は、
前記解除対象判定部にて前記監視側携帯端末が監視する前記解除対象の被監視側携帯端末が存在すると判定されると、前記解除対象の被監視側携帯端末に対して前記内部機能の規制を解除する規制解除メッセージを通知し、
前記被監視側携帯端末は、
前記端末管理制御装置から前記規制解除メッセージを受信すると、この受信した規制解除メッセージに基づき、前記内部機能の規制を解除することを特徴とする請求項１又は２に記載の通信システム。
【請求項４】
監視側端末装置及び該監視側端末装置に監視される被監視側端末装置とを管理して制御する端末管理制御装置であって、
該監視側携帯端末毎に、内部機能を規制可能な前記被監視側携帯端末を記憶する端末記憶部と、
現在位置取得部にて取得した前記監視側携帯端末と前記被監視側携帯端末の現在位置、及び前記端末記憶部の記憶内容に基づき、前記監視側携帯端末の現在位置の無線セルを含む特定隣接セル内に、該規制対象の被監視側携帯端末が存在するか否かを判定する規制対象判定部と、
前記規制対象判定部にて前記特定隣接セル内に、前記規制対象の被監視側携帯端末が存在すると判定されると、前記特定隣接セル内の前記規制対象の被監視側携帯端末に対して前記内部機能を規制する規制制御メッセージを通知する制御メッセージ通知部と
を有することを特徴とする端末管理制御装置。
【請求項５】
監視側端末装置及び該監視側端末装置に監視される被監視側端末装置とを管理して制御する端末管理制御方法であって、
該監視側携帯端末毎に、内部機能を規制可能な前記被監視側携帯端末を記憶する端末記憶ステップと、
前記監視側携帯端末と前記被監視側携帯端末の現在位置、及び前記端末記憶ステップの記憶内容に基づき、前記監視側携帯端末の現在位置の無線セルを含む特定隣接セル内に、該規制対象の被監視側携帯端末が存在するか否かを判定する規制対象判定ステップと、
前記規制対象判定ステップにて前記特定隣接セル内に、前記規制対象の被監視側携帯端末が存在すると判定されると、前記特定隣接セル内の前記規制対象の被監視側携帯端末に対して前記内部機能を規制する規制制御メッセージを通知する制御メッセージ通知ステップと、
を含むことを特徴とする端末管理制御方法。
【発明の詳細な説明】
【技術分野】
【０００１】
本発明は、監視側携帯端末と、該監視側携帯端末に監視される被監視側携帯端末と、該監視側携帯端末及び該被監視側携帯端末を管理して制御する端末管理制御装置とを有し、特に携帯端末の内部機能を規制可能にした通信システム、端末管理制御装置及び端末管理制御方法に関する。
【背景技術】
【０００２】
従来、例えば、携帯端末の通信を規制する無線通信システムでは、複数の携帯端末を収容する基地局と、基地局を収容する交換機と、交換機と接続して複数の携帯端末を管理するサーバとを有し、サーバは、携帯端末の通信を規制する時間帯を予め記憶しておき、時間帯の到来に応じて携帯端末の内部機能として通信を規制する技術が知られている。
【０００３】
また、携帯端末の通信を規制する際、携帯端末は、全地球測位システム（ＧＰＳ：Ｇｌｏｂａｌ  Ｐｏｓｉｔｉｏｎｉｎｇ  Ｓｙｓｔｅｍ）等の位置情報を使用し、この位置情報に基づき特定通信規制領域への進入を検出した場合、この携帯端末の内部機能として通信を規制する技術が知られている。
【０００４】
また、近年、携帯端末には、音声通話機能は勿論のこと、メール機能、ウェブアクセス機能、テレビ受信機能、オーディオ機能、カメラ機能やゲーム機能等の様々な内部機能を備え、携帯端末ユーザに様々な機能を提供している。
【０００５】
【特許文献１】特開２００６−１０９３２６号公報
【特許文献２】特開２００５−３２８３４６号公報
【特許文献３】特開２００５−２２９１８０号公報
【発明の開示】
【発明が解決しようとする課題】
【０００６】
しかしながら、上記従来の通信システムでは、携帯端末の通信規制を開始する特定位置や特定時間帯を予め設定し、携帯端末が特定位置へ移動若しくは特定時間帯に到達しない場合、その携帯端末の通信を規制することはできない。
【０００７】
例えば、上記従来の通信システムを学校等に採用した場合、校内等の特定位置や授業時間等の特定時間帯を予め設定しておくことで、生徒の携帯端末の通信を規制することも可能であるが、例えば、管理責任者である学校の先生が被管理者である生徒を引率して校外に移動するような場合、特定位置を限定することができないため、生徒の携帯端末の内部機能を規制することができず、一部の生徒達は携帯端末等のゲーム機能やメール機能等を自由に使用して先生の説明に集中できなくなる場合が考えられる。
【０００８】
そこで、管理責任者側では、そばにいる被管理者の特定の携帯端末だけ、その携帯端末の内部機能の使用を規制することが強く望まれている。
【０００９】
本発明は、上記点に鑑みてなされたものであり、その目的とするところは、管理責任者側で被管理者の特定の携帯端末だけを指定して、その携帯端末の内部機能の使用規制を可能にした通信システム、端末管理制御装置及び端末管理制御方法を提供することにある。
【課題を解決するための手段】
【００１０】
開示システムは、監視側携帯端末と、該監視側携帯端末に監視される被監視側携帯端末と、該監視側携帯端末及び該被監視側携帯端末を管理して制御する端末管理制御装置とを有する通信システムであって、前記端末管理制御装置は、該監視側携帯端末毎に、内部機能を規制可能な前記被監視側携帯端末を記憶する端末記憶部と、現在位置取得部にて取得した前記監視側携帯端末と前記被監視側携帯端末の現在位置、及び前記端末記憶部の記憶内容に基づき、前記監視側携帯端末の現在位置の無線セルを含む特定隣接セル内に、該規制対象の被監視側携帯端末が存在するか否かを判定する規制対象判定部と、前記規制対象判定部にて前記特定隣接セル内に、前記規制対象の被監視側携帯端末が存在すると判定されると、前記特定隣接セル内の前記規制対象の被監視側携帯端末に対して前記内部機能を規制する規制制御メッセージを通知する制御メッセージ通知部とを有し、前記被監視側携帯端末は、前記端末管理制御装置から前記規制制御メッセージを受信すると、この受信した規制制御メッセージに基づき、前記内部機能を規制することを要件とする。
【００１１】
また、開示装置は、監視側端末装置及び該監視側端末装置に監視される被監視側端末装置とを管理して制御する端末管理制御装置であって、該監視側携帯端末毎に、内部機能を規制可能な前記被監視側携帯端末を記憶する端末記憶部と、現在位置取得部にて取得した前記監視側携帯端末と前記被監視側携帯端末の現在位置、及び前記端末記憶部の記憶内容に基づき、前記監視側携帯端末の現在位置の無線セルを含む特定隣接セル内に、該規制対象の被監視側携帯端末が存在するか否かを判定する規制対象判定部と、前記規制対象判定部にて前記特定隣接セル内に、前記規制対象の被監視側携帯端末が存在すると判定されると、前記特定隣接セル内の前記規制対象の被監視側携帯端末に対して前記内部機能を規制する規制制御メッセージを通知する制御メッセージ通知部とを有することを要件とする。
【００１２】
また、開示方法は、監視側端末装置及び該監視側端末装置に監視される被監視側端末装置とを管理して制御する端末管理制御方法であって、該監視側携帯端末毎に、内部機能を規制可能な前記被監視側携帯端末を記憶する端末記憶ステップと、前記監視側携帯端末と前記被監視側携帯端末の現在位置、及び前記端末記憶ステップの記憶内容に基づき、前記監視側携帯端末の現在位置の無線セルを含む特定隣接セル内に、該規制対象の被監視側携帯端末が存在するか否かを判定する規制対象判定ステップと、前記規制対象判定ステップにて前記特定隣接セル内に、前記規制対象の被監視側携帯端末が存在すると判定されると、前記特定隣接セル内の前記規制対象の被監視側携帯端末に対して前記内部機能を規制する規制制御メッセージを通知する制御メッセージ通知ステップと、を含むことを要件とする。
【発明の効果】
【００１３】
開示システム、開示装置及び開示方法によれば、監視側携帯端末の現在位置の無線セルを含む特定隣接セル内に、この監視側携帯端末が監視する被監視側携帯端末が存在する場合、前記特定隣接セル内の被監視側携帯端末に対して内部機能を規制する規制制御メッセージを通知するようにしたので、監視側携帯端末ユーザである管理責任者は、自分の現在位置を含む特定隣接セル内に存在する被監視側携帯端末の内部機能の使用を規制することができるという効果を奏する。
【発明を実施するための最良の形態】
【００１４】
以下、図面に基づき本発明の通信システム、端末管理制御装置及び端末管理制御方法に関わる実施例について詳細に説明する。
【００１５】
まず、最初に本実施例の概要を説明するとすれば、その概要は、監視側携帯端末と、監視側携帯端末に監視される被監視側携帯端末と、監視側携帯端末及び被監視側携帯端末を管理して制御する端末管理制御装置とを有する通信システムであって、端末管理制御装置は、監視側携帯端末毎に、内部機能を規制可能な被監視側携帯端末を記憶する端末記憶部を有している。
【００１６】
さらに、端末管理制御装置は、現在位置取得部にて取得した監視側携帯端末と前記被監視側携帯端末の現在位置、及び端末記憶部の記憶内容に基づき、監視側携帯端末の現在位置の無線セルを含む特定隣接セル内に、該規制対象の被監視側携帯端末が存在するか否かを判定し、特定隣接セル内に、規制対象の被監視側携帯端末が存在すると判定されると、特定隣接セル内の規制対象の被監視側携帯端末に対して内部機能を規制する規制制御メッセージを通知する。
【００１７】
被監視側携帯端末は、端末管理制御装置から規制制御メッセージを受信すると、この受信した規制制御メッセージに基づき、内部機能を規制するようにしたので、監視側携帯端末ユーザである管理責任者は、自分の現在位置を含む特定隣接セル内に存在する被監視側携帯端末の内部機能の使用を規制することができる。
【００１８】
また、端末管理制御装置は、監視側携帯端末からの規制解除要求を受信すると、端末記憶部の記憶内容に基づき、規制解除要求に関わる監視側携帯端末が監視する解除対象の被監視側携帯端末が存在するか否かを判定し、監視側携帯端末が監視する解除対象の被監視側携帯端末が存在すると判定されると、前記解除対象の被監視側携帯端末に対して内部機能の規制を解除する規制解除メッセージを通知する。
【００１９】
また、端末管理制御装置は、監視側携帯端末からの規制解除要求を受信すると、規制解除要求に関わる監視側携帯端末が監視する解除対象の被監視側携帯端末が存在するか否かを判定し、監視側携帯端末が監視する解除対象の被監視側携帯端末が存在する場合、解除対象の被監視側携帯端末に対して内部機能の規制を解除する規制解除メッセージを通知するものである。その結果、被監視側携帯端末では、端末管理制御装置から規制解除メッセージを受信すると、この受信した規制解除メッセージに基づき、内部機能の規制を解除することができる。
【実施例】
【００２０】
図１は、本実施例の無線通信システム内部の概略構成を端的に示すシステム構成図である。
【００２１】
図１に示す無線通信システム１は、複数の携帯端末２を無線接続する基地局３と、複数の基地局３を収容する移動通信用交換機４と、この移動通信用交換機４と接続し、複数の携帯端末２を管理制御する端末管理サーバ５とを有している。
【００２２】
各基地局３は、自己のセル内に存在する携帯端末２を無線接続し、その携帯端末２との通信を中継制御するものである。
【００２３】
また、移動通信用交換機４は、基地局３を収容し、基地局３経由で携帯端末の位置登録要求を検出すると、その携帯端末２の現在位置をセル単位で位置登録する位置登録機能を備えている。
【００２４】
携帯端末２は、音声通話機能、メール機能、ウェブアクセス機能、テレビ受信機能、オーディオ機能、カメラ機能やゲーム機能等の内部機能を備え、監視側携帯端末２Ａと、被監視側携帯端末２Ｂとに分別している。
【００２５】
監視側携帯端末２Ａとは、複数の携帯端末２の内、特定の携帯端末２を監視する責任管理者側で使用する携帯端末２に相当するものである。また、被監視側携帯端末２Ｂは、監視側携帯端末２Ａに監視される被管理者側で使用する携帯端末２に相当するものである。尚、監視側携帯端末２Ａ及び被監視側携帯端末２Ｂの内部構成には何等変更はないものとする。
【００２６】
図２は、携帯端末２（監視側携帯端末２Ａ及び被監視側携帯端末２Ｂ）内部の概略構成を示すブロック図である。
【００２７】
図２に示す携帯端末２は、アンテナ１１を介して基地局３経由で無線信号を送受信する通信部１２と、例えば、通話に使用するスピーカ及びマイクで構成する通話部１３と、様々な情報を記憶するメモリ部１４と、様々な情報を入力する操作部１５と、様々な情報を表示する表示部１６と、携帯端末２全体を制御する制御部１７とを有している。
【００２８】
メモリ部１４には、例えば、内部機能に使用するアプリケーションや設定情報等の各種情報を記憶するものである。
【００２９】
また、制御部１７は、通信部１２の通信制御を司る通信制御部１７Ａと、通話部１３の通話制御を司る通話制御部１７Ｂと、操作部１５の操作制御を司る操作制御部１７Ｃと、表示部１６の表示制御を司る表示制御部１７Ｄと、前述した内部機能の制御を司る内部機能制御部１７Ｅとを有している。
【００３０】
図３は、端末管理サーバ５内部の概略構成を示すブロック図である。
【００３１】
図３に示す端末管理サーバ５は、移動通信用交換機４とのインタフェースを司る通信インタフェース２１と、各種情報を表示するサーバ側表示部２２と、各種情報を入力するサーバ側操作部２３と、各種情報を記憶するサーバ側記憶部２４と、端末管理サーバ５全体を制御するサーバ側制御部２５とを有している。
【００３２】
サーバ側制御部２５は、通信インタフェース２１内部の通信制御を司るサーバ側通信制御部３１と、移動通信用交換機４内部の携帯端末２の位置登録機能を通じて携帯端末２の現在位置を取得する現在位置取得部３２とを有している。
【００３３】
サーバ側記憶部２４は、現在位置取得部３１にて取得した携帯端末２毎の現在位置を順次記憶する端末現在位置記憶部４１と、監視側携帯端末２Ａで監視する被監視側携帯端末２Ｂの電話番号を監視側携帯端末２Ａの電話番号毎に記憶する端末記憶部４２とを有している。
【００３４】
サーバ側制御部２５は、監視側携帯端末２Ａで監視する規制対象又は解除対象の被監視側携帯端末２Ｂであるか否かを判定する管理対象判定部３３と、管理対象判定部３３にて監視側携帯端末２Ｂで監視する規制対象又は解除対象の被監視側携帯端末２Ｂと判定されると、この被監視側携帯端末２Ｂに対して、例えば、ＳＭＳ（ショートメッセージサービス）制御を利用した制御メッセージを移動通信用交換機４及び基地局３経由で通知する制御メッセージ通知部３４と、サーバ側制御部２５全体を制御する端末管理制御部３５とを有している。
【００３５】
管理対象判定部３３は、基地局３及び移動通信用交換機４経由で、監視側携帯端末２Ａからの規制開始要求を受信すると、端末現在位置記憶部４１に記憶中の携帯端末２の現在位置及び端末記憶部４２の記憶内容に基づき、監視側携帯端末２Ａの現在位置の無線セルを含む特定隣接セル内に、この監視側携帯端末２Ａが監視する被監視側携帯端末２Ｂが存在するか否かを判定する規制対象判定部５１を有している。
【００３６】
尚、監視側携帯端末２Ａは、規制開始操作を検出すると、基地局３及び移動通信用交換機４経由で端末管理サーバ５に対して規制開始要求を通知するものである。
【００３７】
また、特定隣接セルとは、例えば、監視側携帯端末２Ａが位置する基地局３のセルと、このセルに隣接する基地局３のセルとで構成するセル範囲に相当するものである。
【００３８】
制御メッセージ通知部３４は、規制対象判定部５１にて監視側携帯端末２Ａの現在位置の無線セルを含む特定隣接セル内に、この監視側携帯端末２Ａが監視する規制対象の被監視側携帯端末２Ｂが存在すると判定されると、移動通信用交換機４及び基地局３経由で、特定隣接セル内の規制対象の被監視側携帯端末２Ｂに対して内部機能を規制する規制制御メッセージを通知するものである。
【００３９】
被監視側携帯端末２Ｂの内部機能制御部１７Ｅは、規制制御メッセージを受信すると、規制制御メッセージに基づき、複数の内部機能の内、一部の内部機能、例えば、音声通話機能を除く、メール機能、テレビ受信機能、ウェブ機能やゲーム機能等を規制するものである。
【００４０】
また、管理対象判定部３３は、端末現在位置記憶部４１に記憶中の携帯端末２の現在位置に基づき携帯端末２の位置変更を検出すると、位置変更の携帯端末２が被監視側携帯端末２Ｂの場合、この位置変更の被監視側携帯端末２Ｂを監視する監視側携帯端末２Ａの現在位置を読み出し、この監視側携帯端末２Ａの現在位置の無線セルを含む特定隣接セル内に、位置変更の被監視側携帯端末２Ｂが存在するか否かを識別判定する規制対象識別判定部５２を有している。
【００４１】
制御メッセージ通知部３４は、規制対象識別判定部５２にて特定隣接セル内に、位置変更の被監視側携帯端末２Ｂが存在すると判定されると、移動通信用交換機４及び基地局３経由で、位置変更の被監視側携帯端末２Ｂに対して規制制御メッセージを通知するものである。
【００４２】
管理対象判定部３３は、基地局３及び移動通信用交換機４経由で、監視側携帯端末２Ａからの規制解除要求を受信すると、端末記憶部４２の記憶内容に基づき、規制解除要求に関わる監視側携帯端末２Ａが監視する解除対象の被監視側携帯端末２Ｂが存在するか否かを判定する解除対象判定部５３を有している。
【００４３】
尚、監視側携帯端末２Ａは、規制解除操作を検出すると、基地局３及び移動通信用交換機４経由で、端末管理サーバ５に対して規制解除要求を通知するものである。
【００４４】
制御メッセージ通知部３４は、解除対象判定部５３にて監視側携帯端末２Ａが監視する解除対象の被監視側携帯端末２Ｂが存在すると判定されると、移動通信用交換機４及び基地局３経由で、解除対象の被監視側携帯端末２Ｂに対して内部機能の規制を解除する規制解除メッセージを通知するものである。
【００４５】
被監視側携帯端末２Ｂの内部機能制御部１７Ｅは、規制解除メッセージを受信すると、規制解除メッセージに基づき、規制中の内部機能の規制を解除するものである。
【００４６】
管理対象判定部３３は、端末記憶部４２に記憶中の携帯端末２の現在位置に基づき携帯端末３の位置変更を検出すると、位置変更の携帯端末３が解除対象の被監視側携帯端末２Ｂの場合、この位置変更の被監視側携帯端末２Ｂを監視する監視側携帯端末２Ａの現在位置を取得し、この監視側携帯端末２Ａの現在位置の無線セルを含む特定隣接セル内に、位置変更の被監視側携帯端末２Ｂが存在するか否かを識別判定する解除対象識別判定部５４を有している。
【００４７】
制御メッセージ通知部３４は、解除対象識別判定部５４にて特定隣接セル内に、位置変更の被監視側携帯端末２Ｂが存在しないと判定されると、移動通信用交換機４及び基地局３経由で、位置変更の被監視側携帯端末２Ｂに対して規制解除メッセージを通知するものである。
【００４８】
また、図４は、端末管理サーバ５内部の端末記憶部４２内部の記憶内容を端的に示す説明図である。
【００４９】
図４に示す端末記憶部４２は、監視側携帯端末２Ａ毎に、この監視側携帯端末２Ａが監視する被監視側携帯端末２Ｂを管理し、監視側携帯端末２Ａの電話番号４２Ａと、監視側携帯端末２Ａの設定指示４２Ｂと、この監視側携帯端末２Ａが監視する被監視側携帯端末２Ｂの電話番号４２Ｃと、この被監視側携帯端末２Ｂの設定状態４２Ｄとを記憶している。
【００５０】
監視側携帯端末２Ａの設定指示４２Ｂとは、監視側携帯端末２Ａが監視する被監視側携帯端末２Ｂに対して規制を指示する“指示中”と、監視側携帯端末２Ａが監視する被監視側携帯端末２Ｂに対して何等規制を指示しない“指示なし”とがある。
【００５１】
また、被監視側携帯端末２Ｂの設定状態４２Ｄとは、被監視側携帯端末２Ｂの内部機能が現在規制中であることを示す“規制中”と、被監視側携帯端末２Ｂが何等規制されていない“通常”と、監視側携帯端末２Ａが被監視側携帯端末２Ｂに規制を指示しているにも関わらず、同被監視側携帯端末２Ｂが特定隣接エリア内にいない場合は未だに規制を指示していないことを示す“未規制中”とがある。
【００５２】
また、端末管理制御部３５は、端末記憶部４２の記憶内容に基づき、例えば、“０００１−２３４５”の監視側携帯端末２Ａが“指示中”であって、その監視側携帯端末２Ａが監視する被監視側携帯端末２Ｂとして“０００１−１１１１”、“０００２−１１１１”、“０００３−１１１１”、“０００４−１１１１”等を認識することになる。
【００５３】
さらに、端末管理制御部３５は、被監視側携帯端末２Ｂを認識すると、例えば、“０００１−１１１１”の被監視側携帯端末２Ｂの設定状態４２Ｄを“規制中”、“０００３−１１１１”の被監視側携帯端末２Ｂの設定状態４２Ｄを“未規制中”と認識することになる。
【００５４】
次に、本実施例の無線通信システム１の動作について説明する。図５は、監視側携帯端末２Ａ内部の監視側操作制御処理に関わる制御部１７の処理動作を示すフローチャートである。
【００５５】
図５に示す監視側操作制御処理とは、監視側携帯端末２Ａ側の操作部１５の操作を検出すると、操作内容に応じた機能制御を実行するものである。
【００５６】
図５において監視側携帯端末２Ａ内部の制御部１７は、操作部１５を通じて規制対象登録操作を検出したか否かを判定する（ステップＳ１１）。尚、規制対象登録操作とは、監視側携帯端末２Ａで監視する被監視側携帯端末２Ｂを端末管理サーバ５側に登録するための操作に相当するものである。
【００５７】
制御部１７は、規制対象登録操作を検出した場合（ステップＳ１１肯定）、監視する全被監視側携帯端末２Ｂの電話番号を入力する（ステップＳ１２）。
【００５８】
制御部１７は、全被監視側携帯端末２Ｂの電話番号を入力すると、操作部１５を通じて規制対象登録完了操作を検出したか否かを判定する（ステップＳ１３）。尚、規制対象登録完了操作とは、被監視側携帯端末２Ｂの登録を完了する操作に相当するものである。
【００５９】
制御部１７は、規制対象登録完了操作を検出した場合（ステップＳ１３肯定）、ステップＳ１２にて入力した監視する全被監視側携帯端末２Ｂの電話番号をメモリ部１４に登録する（ステップＳ１４）。
【００６０】
制御部１７は、監視する全被監視側携帯端末２Ｂの電話番号を登録すると、監視する全被監視側携帯端末２Ｂの電話番号を含む規制対象登録要求を、基地局３及び移動通信用交換機４経由で端末管理サーバ５に通知し（ステップＳ１５）、図５に示す処理動作を終了する。
【００６１】
その結果、端末管理サーバ５は、監視側携帯端末２Ａからの監視する全被監視側携帯端末２Ｂの電話番号を含む規制対象登録要求を受信すると、この規制対象登録要求を発信した監視側携帯端末２Ａの電話番号に基づき、この規制対象登録要求に含まれる監視する全被監視側携帯端末２Ｂの電話番号を端末記憶部４２に記憶するものである。
【００６２】
また、制御部１７は、規制対象登録完了操作を検出しなかった場合（ステップＳ１３否定）、監視する全被監視側携帯端末２Ｂの電話番号入力を継続すべく、ステップＳ１２に移行する。
【００６３】
また、制御部１７は、規制対象登録操作を検出しなかった場合（ステップＳ１１否定）、規制開始操作を検出したか否かを判定する（ステップＳ１６）。
【００６４】
制御部１７は、規制開始操作を検出した場合（ステップＳ１６肯定）、監視する被監視側携帯端末２Ｂの内部機能の規制を要求すべく、規制開始要求を基地局３及び移動通信用交換機４経由で規制開始要求を通知することで（ステップＳ１７）、図５に示す処理動作を終了する。
【００６５】
また、制御部１７は、規制開始操作を検出しなかった場合（ステップＳ１６否定）、規制解除操作を検出したか否かを判定する（ステップＳ１８）。
【００６６】
制御部１７は、規制解除操作を検出した場合（ステップＳ１８肯定）、監視する被監視側携帯端末２Ｂの内部機能の規制を解除要求すべく、規制解除要求を基地局３及び移動通信用交換機４経由で端末管理サーバ５に通知することで（ステップＳ１９）、図５に示す処理動作を終了する。
【００６７】
また、制御部１７は、規制解除操作を検出しなかった場合（ステップＳ１８否定）、他の操作を検出したか否かを判定する（ステップＳ２０）。
【００６８】
制御部１７は、他の操作を検出した場合（ステップＳ２０肯定）、同操作に応じた機能内容を実行し（ステップＳ２１）、図５に示す処理動作を終了する。
【００６９】
また、制御部１７は、他の操作を検出しなかった場合（ステップＳ２０否定）、図５に示す処理動作を終了する。
【００７０】
図５に示す監視側操作制御処理では、規制対象登録操作を検出すると、規制対象の被監視側携帯端末２Ｂの全電話番号を入力し、この被監視側携帯端末２Ｂの全電話番号を含む規制対象登録要求を基地局３及び移動通信用交換機４経由で端末管理サーバ５に通知するようにしたので、監視側携帯端末２Ａのユーザは、管理責任のある被監視側携帯端末２Ｂを端末管理サーバ５に通知することができる。
【００７１】
また、監視側操作制御処理では、規制開始操作を検出すると、管理責任のある被監視側携帯端末２Ｂの一部の内部機能を規制すべく、規制開始要求を端末管理サーバ５に通知するようにしたので、監視側携帯端末２Ａのユーザは、規制開始要求を端末管理サーバ５に通知することができる。
【００７２】
また、管理側操作制御処理では、規制解除操作を検出すると、管理責任のある規制中の被監視側携帯端末２Ｂの規制中の内部機能を規制解除すべく、規制解除要求を端末管理サーバ５に通知するようにしたので、監視側携帯端末２Ａのユーザは、規制解除要求を端末管理サーバ５に通知することができる。  
【００７３】
次に、規制開始及び規制解除に関わる無線通信システム１全体の動作について説明する。図６は、規制開始及び規制解除に関わる無線通信システム１全体の処理動作を端的に示す動作シーケンスである。
【００７４】
例えば、基地局３のセルＡと基地局３のセルＢとは隣接せず、さらに、監視側携帯端末２Ａは、３台の“Ｘ”，“Ｙ”及び“Ｚ”の被監視側携帯端末２Ｂを規制管理しているものとする。
【００７５】
図６に示す監視側携帯端末２Ａは、現在位置のセルＡへの位置登録を起動すると（ステップＳ３１）、位置登録をセルＡの基地局３経由で位置登録を移動通信用交換機４に通知する（ステップＳ３２）。その結果、移動通信用交換機４は、監視側携帯端末２Ａの現在位置をセルＡとして記憶する。
【００７６】
さらに、移動通信用交換機４は、監視側携帯端末２Ａの現在位置を端末管理サーバ５に通知する（ステップＳ３３）。その結果、端末管理サーバ５は、現在位置取得部３２を通じて監視側携帯端末２Ａの現在位置を端末現在位置記憶部４１に記憶する。
【００７７】
また、監視側携帯端末２Ａに管理された“Ｘ”の被監視側携帯端末２Ｂは、現在位置のセルＡへの位置登録を起動すると（ステップＳ３４）、セルＡの基地局３経由で位置登録を移動通用信交換機４に通知する（ステップＳ３５）。その結果、移動通信用交換機４は、“Ｘ”の被監視側携帯端末２Ｂの現在位置をセルＡとして記憶する。
【００７８】
さらに、移動通信用交換機４は、監視側携帯端末２Ａの現在位置を位置情報として端末管理サーバ５に通知する（ステップＳ３６）。その結果、端末管理サーバ５は、現在位置取得部３２を通じて監視側携帯端末２Ａの現在位置を端末現在位置記憶部４１に記憶する。
【００７９】
また、監視側携帯端末２Ａに管理された“Ｙ”の被監視側携帯端末２Ｂは、現在位置のセルＢへの位置登録を起動すると（ステップＳ３７）、セルＢの基地局３経由で位置登録を移動通信用交換機４に通知する（ステップＳ３８）。その結果、移動通信用交換機４は、“Ｙ”の被監視側携帯端末２Ａの現在位置をセルＢとして記憶する。
【００８０】
さらに、移動通信用交換機４は、監視側携帯端末２Ａの現在位置を位置情報として端末管理サーバ５に通知する（ステップＳ３９）。その結果、端末管理サーバ５は、現在位置取得部３２を通じて“Ｙ”の被監視側携帯端末２Ｂの現在位置を端末現在位置記憶部４１に記憶する。
【００８１】
また、監視側携帯端末２Ａに監視された“Ｚ”の被監視側携帯端末２Ｂは、現在位置のセルＡへの位置登録を起動すると（ステップＳ４０）、セルＡの基地局３経由で位置登録を移動通信用交換機４に通知する（ステップＳ４１）。その結果、移動通信用交換機４は、“Ｚ”の被監視側携帯端末２Ｂの現在位置をセルＡとして記憶する。
【００８２】
さらに、移動通信用交換機４は、監視側携帯端末２Ａの現在位置を位置情報として端末管理サーバ５に通知する（ステップＳ４２）。その結果、端末管理サーバ５は、現在位置取得部３２を通じて“Ｚ”の被監視側携帯端末２Ｂの現在位置を端末現在位置記憶部４１に記憶する。
【００８３】
そして、端末管理サーバ５は、監視側携帯端末２Ａ、“Ｘ”の被監視側携帯端末２Ｂ及び“Ｚ”の被監視側携帯端末２Ｂの現在位置がセルＡ、“Ｙ”の被監視側携帯端末２Ｂの現在位置がセルＢに移動したことを認識している。
【００８４】
また、監視側携帯端末２Ａは、規制開始操作を検出すると（ステップＳ４３）、セルＡの基地局３経由で規制開始要求を移動通信用交換機４に通知する（ステップＳ４４）。
【００８５】
移動通信用交換機４は、規制開始要求を受信すると、規制開始要求を端末管理サーバ５に通知する（ステップＳ４５）。
【００８６】
端末管理サーバ５は、規制開始要求を受信すると、後述する図７の規制開始制御処理を実行することになる（ステップＳ４６）。
【００８７】
端末管理サーバ５は、規制開始制御処理を実行すると、規制開始要求を発信した被監視側携帯端末２Ｂが監視する規制対象の被監視側携帯端末２Ｂに対して規制制御メッセージを通知すべく、この規制制御メッセージを移動通信用交換機４に通知する（ステップＳ４７）。
【００８８】
移動通信用交換機４は、端末管理サーバ５からの規制制御メッセージを受信すると、この規制制御メッセージをセルＡの基地局３経由で“Ｘ”の被監視側携帯端末２Ｂ及び“Ｚ”の被監視側携帯端末２Ｂに対して中継通知する（ステップＳ４８）。
【００８９】
被監視側携帯端末２Ｂは、規制制御メッセージを受信すると、この規制制御メッセージに基づき、内部機能の一部を規制すべく、規制制御を設定する（ステップＳ４９）。その結果、被監視側携帯端末２Ｂのユーザは、例えば、メール機能、ウェブアクセス機能、テレビ受信機能、オーディオ機能、ゲーム機能やカメラ機能等の内部機能を使用することができなくなる。
【００９０】
また、監視側携帯端末２Ａは、規制解除操作を検出すると（ステップＳ５０）、セルＡの基地局３経由で規制解除要求を移動通信用交換機４に通知する（ステップＳ５１）。
【００９１】
移動通信用交換機４は、規制解除要求を受信すると、規制解除要求を端末管理サーバ５に通知する（ステップＳ５２）。
【００９２】
端末管理サーバ５は、規制解除要求を受信すると、後述する図９の規制解除制御処理を実行することになる（ステップＳ５３）。
【００９３】
端末管理サーバ５は、規制解除制御処理を実行すると、規制解除要求を発信した被監視側携帯端末２Ｂが監視する解除対象の被監視側携帯端末２Ｂに規制解除メッセージを通知すべく、この規制解除メッセージを移動通信用交換機４に通知する（ステップＳ５４）。
【００９４】
移動通信用交換機４は、規制解除メッセージを受信すると、この規制解除メッセージをセルＡの基地局３経由で“Ｘ”の被監視側携帯端末２Ｂ及び“Ｚ”の被監視側携帯端末２Ｂに対して中継通知する（ステップＳ５５）。
【００９５】
被監視側携帯端末２Ｂは、規制解除メッセージを受信すると、この規制解除メッセージに基づき、規制中の“Ｘ”及び“Ｚ”の被監視側携帯端末２Ｂの内部機能の規制を解除すべく、規制制御設定を解除する（ステップＳ５６）。
【００９６】
その結果、被監視側携帯端末２Ｂのユーザは、内部機能の規制を全て解除し、全内部機能を自由に使用することができる。
【００９７】
次に、図６のステップＳ４６で実行する規制開始制御処理について説明する。図７は、端末管理サーバ５内部の規制開始制御処理に関わるサーバ側制御部２５の処理動作を示すフローチャートである。
【００９８】
図７に示す規制開始制御処理とは、監視側携帯端末２Ａからの規制開始要求に応じて、この監視側携帯端末２Ａで監視する被監視側携帯端末２Ｂの内、特定隣接セル内に位置する被監視側携帯端末２Ｂに対して規制制御メッセージを通知する処理である。
【００９９】
図７において端末管理サーバ５内部のサーバ側制御部２５は、サーバ側通信制御部３１を通じて、監視側携帯端末２Ａからの規制開始要求を受信したか否かを判定する（ステップＳ６１）。
【０１００】
サーバ側制御部２５は、規制開始要求を受信した場合（ステップＳ６１肯定）、端末管理制御部３５を通じて、端末記憶部４２内に規制開始要求に関わる監視側携帯端末２Ａの電話番号があるか否かを判定する（ステップＳ６２）。
【０１０１】
サーバ側制御部２５は、規制開始要求に関わる監視側携帯端末２Ａの電話番号がある場合（ステップＳ６２肯定）、監視側携帯端末２Ａの位置情報を端末現在位置記憶部４１から取得し（ステップＳ６３）、端末記憶部４２内に、監視側携帯端末２Ａの電話番号に対応する規制対象の被監視側携帯端末２Ｂの電話番号があるか否かを判定する（ステップＳ６４）。
【０１０２】
サーバ側制御部２５は、監視側携帯端末２Ａの電話番号に対応する規制対象の被監視側携帯端末２Ｂの電話番号がある場合（ステップＳ６４肯定）、端末記憶部４２に記憶中の監視側携帯端末２Ａの電話番号４２Ａに対応する設定指示４２Ｂを“指示中”に設定する（ステップＳ６５）。
【０１０３】
サーバ側制御部２５は、監視側携帯端末２Ａの電話番号４２Ａに対応する設定指示４２Ｂを“指示中”に設定すると、端末記憶部４２に記憶中の監視側携帯端末２Ａの電話番号４２Ａに対応する規制対象の被監視側携帯端末２Ｂを指定する（ステップＳ６６）。
【０１０４】
サーバ側制御部２５は、規制対象の被監視側携帯端末２Ｂを指定すると、指定した規制対象の被監視側携帯端末２Ｂの位置情報を端末現在位置記憶部４１から取得する（ステップＳ６７）。
【０１０５】
サーバ側制御部２５は、ステップＳ６３にて取得した監視側携帯端末２Ａの位置情報とステップＳ６７にて取得した指定の被監視側携帯端末２Ｂの位置情報とを比較する（ステップＳ６８）。
【０１０６】
サーバ側制御部２５は、その位置情報の比較結果に基づき、規制対象判定部５１を通じて、指定の被監視側携帯端末２Ｂが監視側携帯端末２Ａの現在位置を含む特定隣接セル内に存在するか否かを判定する（ステップＳ６９）。
【０１０７】
サーバ側制御部２５は、指定の被監視側携帯端末２Ｂが特定隣接セル内に存在する場合（ステップＳ６９肯定）、制御メッセージ通知部３４を通じて、移動通信用交換機４及び基地局３経由で、指定の被監視側携帯端末２Ｂに対して規制制御メッセージを通知する（ステップＳ７０）。
【０１０８】
サーバ側制御部２５は、指定の被監視側携帯端末２Ｂに対して規制制御メッセージを通知すると、端末記憶部４２に記憶中の指定の被監視側携帯端末２Ｂの電話番号４２Ｃに対応する設定状態４２Ｄを“規制中”に設定し（ステップＳ７１）、端末記憶部４２に記憶中の未指定の規制対象の被監視側携帯端末２Ｂがあるか否かを判定する（ステップＳ７２）。
【０１０９】
サーバ側制御部２５は、端末記憶部４２に記憶中の未指定の規制対象の被監視側携帯端末２Ｂがない場合（ステップＳ７２否定）、図７の処理動作を終了する。
【０１１０】
また、サーバ側制御部２５は、端末記憶部４２に記憶中の未指定の規制対象の被監視側携帯端末２Ｂがある場合（ステップＳ７２肯定）、次の未指定の規制対象の被監視側携帯端末２Ｂを指定し（ステップＳ７３）、ステップＳ６８に移行する。
【０１１１】
また、サーバ側制御部２５は、監視側携帯端末２Ａの規制開始要求を受信しなかった場合（ステップＳ６１否定）、携帯端末２の位置情報を取得したか否かを判定する（ステップＳ７４）。
【０１１２】
サーバ側制御部２５は、携帯端末２の位置情報を取得した場合（ステップＳ７４肯定）、規制対象識別判定部５２を通じて、端末記憶部４２に記憶中の携帯端末２の電話番号４２Ｃが“未規制中”の被監視側携帯端末２Ｂであるか否かを判定する（ステップＳ７５）。
【０１１３】
サーバ側制御部２５は、携帯端末２の電話番号４２Ｃが“未規制中”の被監視側携帯端末２Ｂの場合（ステップＳ７５肯定）、端末記憶部４２に記憶中の“未規制中”の被監視側携帯端末２Ｂを指定し（ステップＳ７６）、ステップＳ６８に移行する。
【０１１４】
そして、サーバ側制御部２５は、ステップＳ６９にて規制対象識別判定部５２を通じて位置情報の被監視側携帯端末２Ｂが監視側携帯端末２Ａの現在位置を含む特定隣接セル内に存在するか否かを判定し、特定隣接セル内に存在する場合、ステップＳ７０にて規制制御メッセージを通知することになる。
【０１１５】
また、サーバ側制御部２５は、ステップＳ６２にて規制開始要求に関わる監視側携帯端末２Ａがない場合（ステップＳ６２否定）、又は、ステップＳ６４にて監視側携帯端末２Ａの電話番号に対応する規制対象の被監視側携帯端末２Ｂの電話番号がない場合（ステップＳ６４否定）、図７の処理動作を終了する。
【０１１６】
また、サーバ側制御部２５は、ステップＳ６９にて指定の被監視側携帯端末２Ｂが特定隣接セル内に存在しない場合（ステップＳ６９否定）、端末記憶部４２に記憶中の被監視側携帯端末２Ｂの電話番号４２Ｃに対応する設定状態４２Ｄを“未規制中”に設定し（ステップＳ７７）、図７の処理動作を終了する。
【０１１７】
図７に示す規制開始制御処理では、監視側携帯端末２Ａからの規制開始要求を受信すると、監視側携帯端末２Ａに対応する被監視側携帯端末２Ｂが特定隣接セル内に存在するか否かを判定し、被監視側携帯端末２Ｂが特定隣接セル内に存在する場合、この被監視側携帯端末２Ｂに対して規制制御メッセージを通知するようにしたので、端末管理サーバ５は、被監視側携帯端末２Ｂが特定隣接セル内に存在する場合、この被監視側携帯端末２Ｂに規制制御メッセージを通知することができる。
【０１１８】
規制開始制御処理では、携帯端末２の位置登録に伴う位置情報を取得すると、この携帯端末２が“未規制中”の被監視側携帯端末２Ｂで、かつ、“未規制中”の被監視側携帯端末２Ｂが特定隣接セル内に存在するか否かを判定し、被監視側携帯端末２Ｂが特定隣接セル内に存在する場合、この被監視側携帯端末２Ｂに規制制御メッセージを通知するようにしたので、端末管理サーバ５は、未規制中の被監視側携帯端末２Ｂの現在位置が特定隣接セル内に移動した場合、この被監視側携帯端末２Ｂに規制制御メッセージを通知することができる。
【０１１９】
次に、被監視側携帯端末２Ｂ内部の制御部１７の動作について説明する。図８は、被監視側携帯端末２Ｂ内部の被監視側操作制御処理に関わる制御部１７の処理動作を示すフローチャートである。
【０１２０】
図８において被監視側携帯端末２Ｂ内部の制御部１７は、操作部１５を通じて操作を検出したか否かを判定する（ステップＳ８１）。
【０１２１】
制御部１７は、操作を検出した場合（ステップＳ８１肯定）、内部機能の規制制御設定中であるか否かを判定する（ステップＳ８２）。
【０１２２】
制御部１７は、内部機能の規制制御設定中の場合（ステップＳ８２肯定）、ステップＳ８１にて検出した操作が“規制中”の内部機能の操作であるか否かを判定する（ステップＳ８３）。
【０１２３】
制御部１７は、操作が“規制中”の内部機能の操作の場合（ステップＳ８３肯定）、この操作に対応する内部機能を規制し（ステップＳ８４）、“規制中”によるエラー表示を表示部１６に表示することで（ステップＳ８５）、図８の処理動作を終了する。
【０１２４】
制御部１７は、ステップＳ８１にて操作を検出しなかった場合（ステップＳ８１否定）、図８の処理動作を終了する。
【０１２５】
制御部１７は、ステップＳ８２にて内部機能の規制制御設定中でない場合（ステップＳ８２否定）、又は、ステップＳ８３にて操作が“規制中”の内部機能の操作でない場合（ステップＳ８３否定）、ステップＳ８１にて検出した操作に対する機能動作を実行することで（ステップＳ８６）、図８の処理動作を終了する。
【０１２６】
図８に示す被監視側操作制御処理では、端末管理サーバ５からの規制制御メッセージを受信すると、規制制御メッセージに基づき一部の内部機能を規制し、機能操作を検出すると、この機能操作が“規制中”の内部機能の操作であるか否かを判定し、“規制中”の内部機能の操作の場合、操作に対応する機能の使用を規制すると共に、規制によるエラー表示を表示部１６に表示するようにしたので、被監視側携帯端末２Ｂは、“規制中”の場合、“規制中”の内部機能に関わる操作を検出したとしても、操作に対応する内部機能の使用を規制することになる。
【０１２７】
次に、図６に示すステップＳ５３の規制解除制御処理について説明する。図９は、端末管理サーバ５内部の規制解除制御処理に関わるサーバ側制御部２５内部の処理動作を示すフローチャートである。
【０１２８】
図９に示す規制解除制御処理とは、監視側携帯端末２Ａからの規制解除要求に応じて、この監視側携帯端末２Ａで規制中の被監視側携帯端末２Ｂに対して規制解除メッセージを通知する処理である。
【０１２９】
図９においてサーバ側制御部２５は、サーバ側通信制御部３１を通じて、監視側携帯端末２Ａからの規制解除要求を受信したか否かを判定する（ステップＳ９１）。
【０１３０】
サーバ側制御部２５は、規制解除要求を受信した場合（ステップＳ９１肯定）、端末管理制御部３５を通じて、端末記憶部４２内に規制解除要求に関わる監視側携帯端末２Ａの電話番号があるか否かを判定する（ステップＳ９２）。
【０１３１】
サーバ側制御部２５は、規制解除要求に関わる監視側携帯端末２Ａの電話番号がある場合（ステップＳ９２肯定）、解除対象判定部５３を通じて、端末記憶部４２内に、監視側携帯端末２Ａの電話番号に対応する解除対象の被監視側携帯端末２Ｂの電話番号があるか否かを判定する（ステップＳ９３）。
【０１３２】
サーバ側制御部２５は、監視側携帯端末２Ａの電話番号に対応する規制対象の被監視側携帯端末２Ｂの電話番号がある場合（ステップＳ９３肯定）、端末記憶部４２に記憶中の監視側携帯端末２Ａの電話番号に対応する解除対象の被監視側携帯端末２Ｂを指定する（ステップＳ９４）。
【０１３３】
サーバ側制御部２５は、解除対象の被監視側携帯端末２Ｂを指定すると、制御メッセージ通知部３４を通じて、移動通信用交換機４及び基地局３経由で、指定の被監視側携帯端末２Ｂに対して規制解除メッセージを通知する（ステップＳ９５）。
【０１３４】
サーバ側制御部２５は、指定の被監視側携帯端末２Ｂに対して規制解除メッセージを通知すると、端末記憶部４２に記憶中の指定の被監視側携帯端末２Ｂの設定状態４２Ｄを“通常”に設定し（ステップＳ９６）、端末記憶部４２に記憶中の未指定の規制対象の被監視側携帯端末２Ｂがあるか否かを判定する（ステップＳ９７）。
【０１３５】
サーバ側制御部２５は、端末記憶部４２に記憶中の未指定の解除対象の被監視側携帯端末２Ｂがない場合（ステップＳ９７否定）、図９の処理動作を終了する。
【０１３６】
また、サーバ側制御部２５は、端末記憶部４２に記憶中の未指定の解除対象の被監視側携帯端末２Ｂがある場合（ステップＳ９７肯定）、次の未指定の解除対象の被監視側携帯端末２Ｂを指定し（ステップＳ９８）、指定の解除対象の被監視側携帯端末２Ｂに対して規制解除メッセージを通知すべく、ステップＳ９５に移行する。
【０１３７】
また、サーバ側制御部２５は、監視側携帯端末２Ａの規制解除要求を受信しなかった場合（ステップＳ９１否定）、携帯端末２の位置情報を取得したか否かを判定する（ステップＳ９９）。
【０１３８】
サーバ側制御部２５は、携帯端末２の位置情報を取得した場合（ステップＳ９９肯定）、解除対象識別判定部５４を通じて、端末記憶部４２に記憶中の携帯端末２の電話番号４２Ｃに対応する設定状態４２Ｄが“規制中”の被監視側携帯端末２Ｂであるか否かを判定する（ステップＳ１００）。
【０１３９】
サーバ側制御部２５は、携帯端末２の設定状態４２Ｄが“規制中”の被監視側携帯端末２Ｂの場合（ステップＳ１００肯定）、端末記憶部４２に記憶中の“規制中”の被監視側携帯端末２Ｂを解除対象の被監視側携帯端末２Ｂとして指定する（ステップＳ１０１）。
【０１４０】
サーバ側制御部２５は、解除対象の被監視側携帯端末２Ｂとして指定すると、指定した被監視側携帯端末２Ｂに関わる監視側携帯端末２Ａの位置情報を端末現在位置記憶部４１から取得し（ステップＳ１０２）、この監視側携帯端末２Ａの位置情報とステップＳ９９にて取得した指定の解除対象の被監視側携帯端末２Ｂとの位置情報とを比較する（ステップＳ１０３）。
【０１４１】
サーバ側制御部２５は、その位置情報の比較結果に基づき、解除対象識別判定部５４を通じて、指定の被監視側携帯端末２Ｂが監視側携帯端末２Ａの現在位置を含む特定隣接セル内に存在するか否かを判定する（ステップＳ１０４）。
【０１４２】
サーバ側制御部２５は、指定の被監視側携帯端末２Ｂが特定隣接セル内に存在しない場合（ステップＳ１０４否定）、制御メッセージ通知部３４を通じて、移動通信用交換機４及び基地局３経由で、指定の被監視側携帯端末２Ｂに対して規制解除メッセージを通知すべく、ステップＳ９５に移行する。
【０１４３】
また、サーバ側制御部２５は、ステップＳ９２にて規制解除要求に関わる監視側携帯端末２Ａがない場合（ステップＳ９２否定）、又は、ステップＳ９３にて監視側携帯端末２Ａの電話番号４２Ａに対応する解除対象の被監視側携帯端末２Ｂの電話番号４２Ｃがない場合（ステップＳ９３否定）、図９の処理動作を終了する。
【０１４４】
また、サーバ側制御部２５は、ステップＳ９９にて携帯端末２の位置情報を取得しなかった場合（ステップＳ９９否定）、又は、ステップＳ１００にて携帯端末２の電話番号が“規制中”の被監視側携帯端末２Ｂでない場合（ステップＳ１００否定）、又は、ステップＳ１０４にて指定の被監視側携帯端末２Ｂが特定隣接セル内に存在する場合（ステップＳ１０４肯定）、図９の処理動作を終了する。
【０１４５】
図９に示す規制解除制御処理では、監視側携帯端末２Ａからの規制解除要求を受信すると、監視側携帯端末２Ａに対応する“規制中”の被監視側携帯端末２Ｂの規制を解除すべく、規制解除メッセージを通知するようにしたので、端末管理サーバ５は、監視側携帯端末２Ａからの規制解除要求に応じて“規制中”の被監視側携帯端末２Ｂの規制を解除することができる。
【０１４６】
規制解除制御処理では、携帯端末２の位置登録に伴う位置情報を取得すると、“規制中”の被監視側携帯端末２Ｂの場合、“規制中”の被監視側携帯端末２Ｂの現在位置が特定隣接セル外に移動した場合、この被監視側携帯端末２Ｂに規制解除メッセージを通知するようにしたので、端末管理サーバ５は、規制中の被監視側携帯端末２Ｂの特定隣接セル外への移動に応じて“規制中”の被監視側携帯端末２Ｂの規制を解除することができる。
【０１４７】
本実施例では、端末管理サーバ５が監視側携帯端末２Ａからの規制開始要求を受信すると、監視側携帯端末２Ａに対応する被監視側携帯端末２Ｂが特定隣接セル内に存在するか否かを判定し、被監視側携帯端末２Ｂが特定隣接セル内に存在する場合、この被監視側携帯端末２Ｂに対して規制制御メッセージを通知する。そして、被監視側携帯端末２Ｂは、規制制御メッセージを受信すると、規制制御メッセージに基づき内部機能を規制する。その結果、監視側携帯端末２Ａは、被監視側携帯端末２Ｂが特定隣接セル内に存在する場合、この被監視側携帯端末２Ｂの内部機能の使用を規制することができる。
【０１４８】
また、本実施例では、端末管理サーバ５が携帯端末２の位置登録に伴う位置情報を取得すると、携帯端末２が“未規制中”の被監視側携帯端末２Ｂの場合、かつ、“未規制中”の被監視側携帯端末２Ｂが特定隣接セル内に存在するか否かを判定し、被監視側携帯端末２Ｂが特定隣接セル内に存在する場合、この被監視側携帯端末２Ｂに規制制御メッセージを通知する。そして、被監視側携帯端末２Ｂは、規制制御メッセージを受信すると、規制制御メッセージに基づき内部機能を規制する。その結果、監視側携帯端末２Ａは、被監視側携帯端末２Ｂの移動に応じて現在位置が特定隣接セル内に存在する場合、この被監視側携帯端末２Ｂの内部機能の使用を規制することができる。
【０１４９】
また、本実施例では、監視側携帯端末２Ａからの規制解除要求を受信すると、監視側携帯端末２Ａに対応する“規制中”の被監視側携帯端末２Ｂの規制を解除すべく、規制解除メッセージを通知する。そして、被監視側携帯端末２Ｂは、規制解除メッセージを受信すると、規制解除メッセージに基づき内部機能の規制を解除する。その結果、監視側携帯端末２Ａは、監視側携帯端末２Ａからの規制解除要求に応じて“規制中”の被監視側携帯端末２Ｂの規制を解除することができる。
【０１５０】
また、本実施例では、携帯端末２の位置登録に伴う位置情報を取得すると、その携帯端末２が“規制中”の被監視側携帯端末２Ｂで、かつ、“規制中”の被監視側携帯端末２Ｂの現在位置が特定隣接セル外に移動した場合、この被監視側携帯端末２Ｂに規制解除メッセージを通知する。そして、被監視側携帯端末２Ｂは、規制解除メッセージを受信すると、規制解除メッセージに基づき内部機能の規制を解除する。その結果、監視側携帯端末２Ａは、規制中の被監視側携帯端末２Ｂの特定隣接セル外への移動に応じて“規制中”の被監視側携帯端末２Ｂの規制を解除することができる。
【０１５１】
本実施例では、端末記憶部４２が、監視側携帯端末２Ａを識別する電話番号４２Ａ毎に、この監視側携帯端末２Ａで監視する被監視側携帯端末２Ｂを識別する電話番号４２Ｃで記憶し、制御メッセージ通知部３４は、端末記憶部４１に記憶中の被監視側携帯端末２Ｂの電話番号４２Ｃに基づき、被監視側携帯端末２Ｂに対して規制制御メッセージや規制解除メッセージを通知する。その結果、管理端末サーバ５は、電話番号に基づき規制制御メッセージや規制解除メッセージを通知することができる。
【０１５２】
尚、本実施例では、特定隣接セルを監視側携帯端末２Ａの現在位置のセル及び、このセルに隣接するセルの範囲内としたが、例えば、監視側携帯端末２Ａの現在位置を含むセル内のみに限定するようにしても良いことは言うまでもない。
【０１５３】
また、本実施例では、セル範囲が狭い場合、監視側携帯端末２Ａの現在位置のセルの隣接セルだけでなく、その隣接セルに隣接するセルを含めて特定隣接セルに設定するようにしても良いことは言うまでもない。
【０１５４】
また、本実施例では、規制制御メッセージに応じて被監視側携帯端末２Ｂ内部の一部の内部機能を規制するようにしたが、音声通話機能を含めて、全ての内部機能を規制するようにしても良く、その内部機能の規制内容は適宜変更可能であることは言うまでもない。
【０１５５】
また、本実施例では、端末管理サーバ５が規制開始要求を受信すると、被監視側携帯端末２Ｂ毎に一律の規制内容である規制制御メッセージを通知するようにしたが、被監視側携帯端末２Ｂ毎に異なる内部機能の規制内容を設定し、被監視側携帯端末２Ｂ毎に内部機能の規制内容を記憶した規制内容管理記憶部を端末管理サーバ５側に備えるようにしても良い。この場合、制御メッセージ通知部３４は、特定隣接セル内の規制対象の被監視側携帯端末２Ｂに対して、この規制対象の被監視側携帯端末２Ｂに対応する内部機能の規制内容を規制内容管理記憶部から読み出し、この読み出した規制内容を含む規制制御メッセージを通知するようにしても良い。
【０１５６】
また、端末管理サーバ５側で被監視側携帯端末２Ｂに優先順位を付与し、優先順位毎に内部機能の規制内容を設定するようにしても良く、この場合、制御メッセージ通知部３４は、特定隣接セル内の規制対象の被監視側携帯端末２Ｂに対して、この規制対象の被監視側携帯端末２Ｂの優先順位に応じた内部機能の規制内容を読み出し、この読み出した規制内容を含む規制制御メッセージを通知するようにしても良い。
【０１５７】
また、本実施例では、被監視側携帯端末２Ｂ内部の内部機能を規制するようにしたが、内部機能を規制するのではなく、内部機能を操作する入力操作を無効にするように設定するようにしても良いことは言うまでもない。
【０１５８】
また、本実施例では、電話番号に基づき、制御ＳＭＳを利用した規制制御メッセージや規制解除メッセージを被監視側携帯端末２Ｂに通知するようにしたが、他の方法で被監視側携帯端末２Ｂに通知するようにしても良いことは言うまでもない。
【０１５９】
以上、本発明の実施例について説明したが、本実施例によって本発明の技術的思想の範囲が限定されるものではなく、特許請求の範囲に記載した技術的思想の範囲を逸脱しない限り、各種様々な実施例が実施可能であることは言うまでもない。また、本実施例に記載した効果は、これに限定されるものではない。
【０１６０】
また、本実施例で説明した各種処理の内、自動的に行われるものとして説明した処理の全部又は一部を手動で行うことも可能であることは勿論のこと、その逆に、手動で行われるものとして説明した処理の全部又は一部を自動で行うことも可能であることは言うまでもない。また、本実施例で説明した処理手順、制御手順、具体的名称、各種データやパラメータを含む情報についても、特記した場合を除き、適宜変更可能であることは言うまでもない。
【０１６１】
また、図示した各装置の各構成要素は機能概念的に記載したものであって、必ずしも物理的に図示のように構成されるものではなく、その各装置の具体的な態様は図示のものに限縮されるものでは到底ないことは言うまでもない。
【０１６２】
さらに、各装置で行われる各種処理機能は、ＣＰＵ（Ｃｅｎｔｒａｌ  Ｐｒｏｃｅｓｓｉｎｇ  Ｕｎｉｔ）（又はＭＰＵ（Ｍｉｃｒｏ  Ｐｒｏｃｅｓｓｉｎｇ  Ｕｎｉｔ）、ＭＣＵ（Ｍｉｃｒｏ  Ｃｏｎｔｒｏｌｌｅｒ  Ｕｎｉｔ）等のマイクロ・コンピュータ）上、又は同ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【０１６３】
以上、本実施例を含む実施の形態に関し、更に以下の付記を開示する。
【０１６４】
（付記１）監視側携帯端末と、
該監視側携帯端末に監視される被監視側携帯端末と、
該監視側携帯端末及び該被監視側携帯端末を管理して制御する端末管理制御装置とを有する通信システムであって、
前記端末管理制御装置は、
該監視側携帯端末毎に、内部機能を規制可能な前記被監視側携帯端末を記憶する端末記憶部と、
現在位置取得部にて取得した前記監視側携帯端末と前記被監視側携帯端末の現在位置、及び前記端末記憶部の記憶内容に基づき、前記監視側携帯端末の現在位置の無線セルを含む特定隣接セル内に、該規制対象の被監視側携帯端末が存在するか否かを判定する規制対象判定部と、
前記規制対象判定部にて前記特定隣接セル内に、前記規制対象の被監視側携帯端末が存在すると判定されると、前記特定隣接セル内の前記規制対象の被監視側携帯端末に対して前記内部機能を規制する規制制御メッセージを通知する制御メッセージ通知部とを有し、
前記被監視側携帯端末は、
前記端末管理制御装置から前記規制制御メッセージを受信すると、この受信した規制制御メッセージに基づき、前記内部機能を規制することを特徴とする通信システム。
【０１６５】
（付記２）前記規制対象判定部は、
前記監視側携帯端末からの規制開始要求を受信すると、前記規制開始要求に関わる前記監視側携帯端末の現在位置の無線セルを含む特定隣接セル内に、この監視側携帯端末が監視する前記規制対象の被監視側携帯端末が存在するか否かを判定することを特徴とする付記１記載の通信システム。
【０１６６】
（付記３）前記端末管理制御装置は更に、
前記現在位置取得部にて取得した前記監視側携帯端末と前記被監視側携帯端末の現在位置に基づき前記監視側携帯端末あるいは前記被監視側携帯端末の位置変更を検出すると、前記位置変更の携帯端末が前記被監視側携帯端末の場合、この位置変更の被監視側携帯端末を監視する前記監視側携帯端末の現在位置を取得し、この監視側携帯端末の現在位置の無線セルを含む特定隣接セル内に、前記位置変更の被監視側携帯端末が存在するか否かを識別判定する規制対象識別判定部を有し、
前記制御メッセージ通知部は、
前記規制対象識別判定部にて前記特定隣接セル内に、前記位置変更の被監視側携帯端末が存在すると判定されると、前記位置変更の被監視側携帯端末に対して前記規制制御メッセージを通知することを特徴とする付記１又は２記載の通信システム。
【０１６７】
（付記４）前記端末管理制御装置は更に、
前記監視側携帯端末からの規制解除要求を受信すると、前記端末記憶部の記憶内容に基づき、前記規制解除要求に関わる前記監視側携帯端末が監視する解除対象の被監視側携帯端末が存在するか否かを判定する解除対象判定部を有し、
前記制御メッセージ通知部は、
前記解除対象判定部にて前記監視側携帯端末が監視する前記解除対象の被監視側携帯端末が存在すると判定されると、前記解除対象の被監視側携帯端末に対して前記内部機能の規制を解除する規制解除メッセージを通知し、
前記被監視側携帯端末は、
前記端末管理制御装置から前記規制解除メッセージを受信すると、この受信した規制解除メッセージに基づき、前記内部機能の規制を解除することを特徴とする付記１〜３の何れか一に記載の通信システム。
【０１６８】
（付記５）前記端末管理制御装置は更に、
前記現在位置取得部にて取得した前記監視側携帯端末と前記被監視側携帯端末の現在位置に基づき前記監視側携帯端末あるいは前記被監視側携帯端末の位置変更を検出すると、前記位置変更の携帯端末が前記解除対象の被監視側携帯端末の場合、この位置変更の被監視側携帯端末を監視する前記監視側携帯端末の現在位置を取得し、この監視側携帯端末の現在位置の無線セルを含む特定隣接セル内に、前記位置変更の被監視側携帯端末が存在するか否かを識別判定する解除対象識別判定部を有し、
前記制御メッセージ通知部は、
前記解除対象識別判定部にて前記特定隣接セル内に、前記位置変更の被監視側携帯端末が存在しないと判定されると、前記位置変更の被監視側携帯端末に対して前記規制解除メッセージを通知することを特徴とする付記１〜４の何れか一に記載の通信システム。
【０１６９】
（付記６）前記端末記憶部は、
前記監視側携帯端末を識別する電話番号毎に、この監視側携帯端末で監視する前記被監視側携帯端末を識別する電話番号で記憶し、
前記制御メッセージ通知部は、
前記端末記憶部に記憶中の前記被監視側携帯端末の電話番号に基づき、前記被監視側携帯端末に対して前記メッセージを通知することを特徴とする付記１〜５の何れか一に記載の通信システム。
【０１７０】
（付記７）前記被監視側携帯端末毎に異なる内部機能の規制内容を設定し、前記被監視側携帯端末毎に内部機能の規制内容を記憶した規制内容管理記憶部を有し、
前記制御メッセージ通知部は、
前記特定隣接セル内の前記規制対象の被監視側携帯端末に対して、この規制対象の被監視側携帯端末に対応する内部機能の規制内容を前記規制内容管理記憶部から読み出し、この読み出した規制内容を含む前記規制制御メッセージを通知することを特徴とする付記１〜６の何れか一に記載の通信システム。
【０１７１】
（付記８）監視側端末装置及び該監視側端末装置に監視される被監視側端末装置とを管理して制御する端末管理制御装置であって、
該監視側携帯端末毎に、内部機能を規制可能な前記被監視側携帯端末を記憶する端末記憶部と、
現在位置取得部にて取得した前記監視側携帯端末と前記被監視側携帯端末の現在位置、及び前記端末記憶部の記憶内容に基づき、前記監視側携帯端末の現在位置の無線セルを含む特定隣接セル内に、該規制対象の被監視側携帯端末が存在するか否かを判定する規制対象判定部と、
前記規制対象判定部にて前記特定隣接セル内に、前記規制対象の被監視側携帯端末が存在すると判定されると、前記特定隣接セル内の前記規制対象の被監視側携帯端末に対して前記内部機能を規制する規制制御メッセージを通知する制御メッセージ通知部と
を有することを特徴とする端末管理制御装置。
【０１７２】
（付記９）前記規制対象判定部は、
前記監視側携帯端末からの規制開始要求を受信すると、前記規制開始要求に関わる前記監視側携帯端末の現在位置の無線セルを含む特定隣接セル内に、この監視側携帯端末が監視する前記規制対象の被監視側携帯端末が存在するか否かを判定することを特徴とする付記８記載の端末管理制御装置。
【０１７３】
（付記１０）前記監視側携帯端末からの規制解除要求を受信すると、前記端末記憶部の記憶内容に基づき、前記規制解除要求に関わる前記監視側携帯端末が監視する解除対象の被監視側携帯端末が存在するか否かを判定する解除対象判定部を有し、
前記制御メッセージ通知部は、
前記解除対象判定部にて前記監視側携帯端末が監視する前記解除対象の被監視側携帯端末が存在すると判定されると、前記解除対象の被監視側携帯端末に対して前記内部機能の規制を解除する規制解除メッセージを通知することを特徴とする付記８又は９記載の端末管理制御装置。
【０１７４】
（付記１１）監視側端末装置及び該監視側端末装置に監視される被監視側端末装置とを管理して制御する端末管理制御方法であって、
該監視側携帯端末毎に、内部機能を規制可能な前記被監視側携帯端末を記憶する端末記憶ステップと、
前記監視側携帯端末と前記被監視側携帯端末の現在位置、及び前記端末記憶ステップにて記憶した記憶内容に基づき、前記監視側携帯端末の現在位置の無線セルを含む特定隣接セル内に、該規制対象の被監視側携帯端末が存在するか否かを判定する規制対象判定ステップと、
前記規制対象判定ステップにて前記特定隣接セル内に、前記規制対象の被監視側携帯端末が存在すると判定されると、前記特定隣接セル内の前記規制対象の被監視側携帯端末に対して前記内部機能を規制する規制制御メッセージを通知する制御メッセージ通知ステップと、
を含むことを特徴とする端末管理制御方法。
【０１７５】
（付記１２）前記規制対象判定ステップは、
前記監視側携帯端末からの規制開始要求を受信すると、前記規制開始要求に関わる前記監視側携帯端末の現在位置の無線セルを含む特定隣接セル内に、この監視側携帯端末が監視する前記規制対象の被監視側携帯端末が存在するか否かを判定することを特徴とする付記１１記載の端末管理制御方法。
【０１７６】
（付記１３）前記監視側携帯端末からの規制解除要求を受信すると、前記端末記憶ステップにて記憶した記憶内容に基づき、前記規制解除要求に関わる前記監視側携帯端末が監視する解除対象の被監視側携帯端末が存在するか否かを判定する解除対象判定ステップを有し、
前記制御メッセージ通知ステップは、
前記解除対象判定ステップにて前記監視側携帯端末が監視する前記解除対象の被監視側携帯端末が存在すると判定されると、前記解除対象の被監視側携帯端末に対して前記内部機能の規制を解除する規制解除メッセージを通知することを特徴とする付記１１又は１２記載の端末管理制御方法。
【０１７７】
（付記１４）監視側端末装置及び該監視側端末装置に監視される被監視側端末装置とを管理して制御する端末管理制御プログラムであって、
該監視側携帯端末毎に、内部機能を規制可能な前記被監視側携帯端末を記憶する端末記憶手順と、
前記監視側携帯端末と前記被監視側携帯端末の現在位置、及び前記端末記憶手順で記憶した記憶内容に基づき、前記監視側携帯端末の現在位置の無線セルを含む特定隣接セル内に、該規制対象の被監視側携帯端末が存在するか否かを判定する規制対象判定手順と、
前記規制対象判定手順にて前記特定隣接セル内に、前記規制対象の被監視側携帯端末が存在すると判定されると、前記特定隣接セル内の前記規制対象の被監視側携帯端末に対して前記内部機能を規制する規制制御メッセージを通知する制御メッセージ通知手順とを含むプログラムをコンピュータ装置に実行させることを特徴とする端末管理制御プログラム。
【０１７８】
（付記１５）前記規制対象判定手順は、
前記監視側携帯端末からの規制開始要求を受信すると、前記規制開始要求に関わる前記監視側携帯端末の現在位置の無線セルを含む特定隣接セル内に、この監視側携帯端末が監視する前記規制対象の被監視側携帯端末が存在するか否かを判定することを特徴とする付記１４記載の端末管理制御プログラム。
【０１７９】
（付記１６）前記監視側携帯端末からの規制解除要求を受信すると、前記端末記憶手順で記憶した記憶内容に基づき、前記規制解除要求に関わる前記監視側携帯端末が監視する解除対象の被監視側携帯端末が存在するか否かを判定する解除対象判定手順を有し、
前記制御メッセージ通知手順は、
前記解除対象判定手順にて前記監視側携帯端末が監視する前記解除対象の被監視側携帯端末が存在すると判定されると、前記解除対象の被監視側携帯端末に対して前記内部機能の規制を解除する規制解除メッセージを通知することを特徴とする付記１４又は１５記載の端末管理制御プログラム。
【図面の簡単な説明】
【０１８０】
【図１】本実施例の無線通信システム内部の概略構成を端的に示すシステム構成図である。
【図２】携帯端末（監視側携帯端末及び被監視側携帯端末）内部の概略構成を示すブロック図である。
【図３】端末管理サーバ内部の概略構成を示すブロック図である。
【図４】端末管理サーバ内部の端末記憶部内部の記憶内容を端的に示す説明図である。
【図５】監視側携帯端末内部の監視側操作制御処理に関わる制御部の処理動作を示すフローチャートである。
【図６】規制開始及び規制解除に関わる無線通信システム全体の処理動作を端的に示す動作シーケンスである。
【図７】端末管理サーバ内部の規制開始制御処理に関わるサーバ側制御部の処理動作を示すフローチャートである。
【図８】被監視側携帯端末内部の被監視側操作制御処理に関わる制御部の処理動作を示すフローチャートである。
【図９】端末管理サーバ内部の規制解除制御処理に関わるサーバ側制御部の処理動作を示すフローチャートである。
【符号の説明】
【０１８１】
１  無線通信システム
２  携帯端末
２Ａ  監視側携帯端末
２Ｂ  被監視側携帯端末
３  基地局
４  移動通信用交換機
５  端末管理サーバ
２５  サーバ側制御部
３２  現在位置取得部
３３  管理対象判定部
３４  制御メッセージ通知部
３５  端末管理制御部
４１  端末現在位置記憶部
４２  端末記憶部
５１  規制対象判定部
５２  規制対象識別判定部
５３  解除対象判定部
５４  解除対象識別判定部
【図１】
2010016491.tif 000003
【図２】
2010016491.tif 000004
【図３】
2010016491.tif 000005
【図４】
2010016491.tif 000006
【図５】
2010016491.tif 000007
【図６】
2010016491.tif 000008
【図７】
2010016491.tif 000009
【図８】
2010016491.tif 000010
【図９】
2010016491.tif 000011